(57)【要約】【課題】各メンバに対応したＷｅｂコンテンツを提供することを課題とする。【解決手段】サイネージ１０は、複数のウェブコンテンツを関連付けたコンテンツ情報と、ウェブコンテンツの取得予定時刻とを対応付けて記憶する記憶部を有する。サイネージ１０は、記憶部に記憶される取得予定時刻となった場合に、コンテンツ情報に含まれる複数のウェブコンテンツそれぞれを取得する。サイネージ１０は、取得された複数のウェブコンテンツを順次表示させる。【選択図】図３
2018028825.tif 000002
【特許請求の範囲】
【請求項１】
複数のウェブコンテンツを関連付けたコンテンツ情報と、ウェブコンテンツの取得予定時刻とを対応付けて記憶する記憶部と、
前記記憶部に記憶される前記取得予定時刻となった場合に、前記コンテンツ情報に含まれる前記複数のウェブコンテンツそれぞれを取得する取得部と、
前記取得部によって取得された前記複数のウェブコンテンツを順次表示させる表示制御部と、
を有することを特徴とする情報処理装置。
【請求項２】
前記記憶部は、前記コンテンツ情報と前記取得予定時刻とに対応付けて、前記ウェブコンテンツの取得終了時刻を記憶し、
前記取得部は、前記取得終了時刻となった場合に、前記複数のウェブコンテンツそれぞれの取得を停止し、
前記表示制御部は、前記取得予定時刻から前記取得終了時刻までの間、前記複数のウェブコンテンツを順次表示させることを特徴とする請求項１に記載の情報処理装置。
【請求項３】
前記取得部は、前記取得予定時刻となった場合に、前記取得終了時刻になるまで繰り返し、前記複数のウェブコンテンツそれぞれを取得し、
前記表示制御部は、前記取得予定時刻から前記取得終了時刻までの間、繰り返し取得された前記複数のウェブコンテンツを順次表示させることを特徴とする請求項２に記載の情報処理装置。
【請求項４】
前記表示制御部は、前記取得予定時刻から前記取得終了時刻までの間、前記複数のウェブコンテンツをタブに設定したウェブページを生成し、予め指定された間隔で前記タブを切替えて表示させることを特徴とする請求項３に記載の情報処理装置。
【請求項５】
コンピュータが、
複数のウェブコンテンツを関連付けたコンテンツ情報と、ウェブコンテンツの取得予定時刻とを対応付けて記憶部に記憶し、
前記記憶部に記憶される前記取得予定時刻となった場合に、前記コンテンツ情報に含まれる前記複数のウェブコンテンツそれぞれを取得し、
取得された前記複数のウェブコンテンツを順次表示させる、
処理を実行することを特徴とする情報処理方法。
【請求項６】
コンピュータに、
複数のウェブコンテンツを関連付けたコンテンツ情報と、ウェブコンテンツの取得予定時刻とを対応付けて記憶部に記憶し、
前記記憶部に記憶される前記取得予定時刻となった場合に、前記コンテンツ情報に含まれる前記複数のウェブコンテンツそれぞれを取得し、
取得された前記複数のウェブコンテンツを順次表示させる、
処理を実行させることを特徴とする情報処理プログラム。
【発明の詳細な説明】
【技術分野】
【０００１】
本発明は、情報処理装置、情報処理方法および情報処理プログラムに関する。
【背景技術】
【０００２】
従来から、家庭内ＬＡＮ（Local  Area  Network）の普及に伴い、家庭内ＬＡＮに接続されるＷｅｂテレビやコンピュータなどを用いて、家庭の表示装置でＷｅｂコンテンツを閲覧することが行われている。近年では、Ｗｅｂコンテンツを閲覧する際のユーザ利便性を向上させる技術として、表示するＷｅｂコンテンツを自動で更新する技術や指定された時間になると自動でＷｅｂコンテンツを取得して表示する技術が知られている。
【先行技術文献】
【特許文献】
【０００３】
【特許文献１】特開２００２−１５２６７２号公報
【特許文献２】特開２００７−２７９１５号公報
【発明の概要】
【発明が解決しようとする課題】
【０００４】
しかしながら、上記技術では、家族などのように複数のメンバがいる場合、１台の表示装置を複数のメンバで共有するので、１人の嗜好に偏ったＷｅｂコンテンツが表示される。このため、各メンバでＷｅｂコンテンツによる情報共有を行うことが難しく、使用するメンバが固定されることになり、ユーザ利便性も低下する。
【０００５】
一つの側面では、各メンバに対応したＷｅｂコンテンツを提供することができる情報処理装置、情報処理方法および情報処理プログラムを提供することを目的とする。
【課題を解決するための手段】
【０００６】
第１の案では、情報処理装置は、複数のＷｅｂコンテンツを関連付けたコンテンツ情報と、Ｗｅｂコンテンツの取得予定時刻とを対応付けて記憶する記憶部を有する。情報処理装置は、前記記憶部に記憶される前記取得予定時刻となった場合に、前記コンテンツ情報に含まれる前記複数のＷｅｂコンテンツそれぞれを取得する取得部を有する。情報処理装置は、前記取得部によって取得された前記複数のＷｅｂコンテンツを順次表示させる表示制御部を有する。
【発明の効果】
【０００７】
一実施形態によれば、各メンバに対応したＷｅｂコンテンツを提供することができる。
【図面の簡単な説明】
【０００８】
【図１】図１は、実施例１にかかるシステムの全体構成例を説明する図である。
【図２】図２は、サイネージの設置例を示す図である。
【図３】図３は、サイネージの機能構成を示す機能ブロック図である。
【図４】図４は、チャンネルセットＤＢに記憶される情報の例を示す図である。
【図５】図５は、外部サーバＤＢに記憶される情報の例を示す図である。
【図６】図６は、チャンネルセットの設定例を説明する図である。
【図７】図７は、画面表示例を説明する図である。
【図８】図８は、処理の流れを示すフローチャートである。
【図９】図９は、ハードウェア構成例を説明する図である。
【発明を実施するための形態】
【０００９】
以下に、本願の開示する情報処理装置、情報処理方法および情報処理プログラムの実施例を図面に基づいて詳細に説明する。なお、この実施例によりこの発明が限定されるものではない。
【実施例１】
【００１０】
［全体構成］
図１は、実施例１にかかるシステムの全体構成例を説明する図である。図１に示すように、このシステムは、天気サーバ１、クラウドサーバ２、ニュースサーバ３、家庭内ＬＡＮ５０がネットワークＮを介して相互に通信可能に接続される。なお、ネットワークＮは、有線や無線を問わず、インターネットなどの様々なネットワークを採用できる。
【００１１】
天気サーバ１、クラウドサーバ２、ニュースサーバ３は、家庭内ＬＡＮ５０の外部サーバの一例である。天気サーバ１は、ある地点の天気予報を管理し、要求された地域の天気予報をユーザ端末に提供するサーバである。クラウドサーバ２は、会員として登録されたユーザの写真、スケジュール、文書などの各種データを統合的に管理するサーバである。ニュースサーバ３は、世界各国やある地域のニュースを管理し、ニュース配信を要求したユーザ端末に、要求された地域のニュースや注目度の高いニュースなどを提供するサーバである。なお、ここに示したサーバは、例示であり、例えば交通情報を管理する交通情報サーバなどを採用できる。
【００１２】
家庭内ＬＡＮ５０は、ネットワークに対応した家電製品を無線等で接続して、家庭内に形成されるネットワークである。この家庭内ＬＡＮ５０は、ホームゲートウェイを介して、外部サーバと接続される。また、家庭内ＬＡＮ５０は、サイネージ１０などを含むネットワーク対応型の家電製品を有する。
【００１３】
サイネージ１０は、各種情報を表示するデジタルサイネージの一例であり、ネットワークＮに接続される各種サーバから該当するＷｅｂコンテンツを取得して表示する。ここで、サイネージ１０の設置例を説明する。図２は、サイネージ１０の設置例を示す図である。図２に示すように、サイネージ１０は、一般的なコンピュータのディスプレイと比べて比較的大きなディスプレイを有し、コンピュータやテレビとは利用体系が異なる。例えば、サイネージ１０は、一人のユーザが利用するコンピュータなどとは異なり、家族の団らんが行われるリビングや家族で食事が行われるダイニングなどのように、家の中で多くの人が閲覧できる位置に設置されることが一般的である。家族は、朝食時や団らん時にサイネージ１０に表示されるＷｅｂコンテンツを閲覧する。なお、ここでは、ディスプレイやタッチパネルなどの表示装置と、Ｗｅｂページを取得するコンピュータ装置とを含む一体型のサイネージを例にして説明するが、別々の筐体で実行されていてもよい。
【００１４】
このようなシステムにおいて、サイネージ１０は、複数のＷｅｂコンテンツを関連付けたチャンネルセットと、Ｗｅｂコンテンツの取得予定時刻とを対応付けて記憶する。そして、サイネージ１０は、記憶される取得予定時刻となった場合に、チャンネルセットに含まれる複数のウェブコンテンツそれぞれを取得し、取得された複数のウェブコンテンツを順次表示させる。
【００１５】
したがって、サイネージ１０は、家族などのように複数のメンバがいる場合、１人の嗜好に偏ったＷｅｂコンテンツの表示を抑制し、各メンバに対応したＷｅｂコンテンツを提供することができる。
【００１６】
［機能構成］
図３は、サイネージ１０の機能構成を示す機能ブロック図である。図３に示すように、サイネージ１０は、通信部１１、表示部１２、記憶部１３、制御部２０を有する。
【００１７】
通信部１１は、ネットワークＮを介して、天気サーバ１などの外部サーバとの通信を実行する処理部である。例えば、通信部１１は、外部サーバへＷｅｂコンテンツの取得要求を送信し、外部サーバからＷｅｂコンテンツを受信する。表示部１２は、Ｗｅｂコンテンツなどを表示する表示装置の一例であり、例えばディスプレイやタッチパネルなどである。
【００１８】
記憶部１３は、制御部２０が実行するプログラムやデータなどを記憶する記憶装置の一例であり、例えばメモリやハードディスクなどである。この記憶部１３は、チャンネルセットＤＢ１４と外部サーバＤＢ１５とを有する。
【００１９】
チャンネルセットＤＢ１４は、複数のＷｅｂコンテンツを関連付けるチャンネルセットに関する情報を記憶するデータベースである。図４は、チャンネルセットＤＢ１４に記憶される情報の例を示す図である。図４に示すように、チャンネルセットＤＢ１４は、「チャンネルセット名、チャンネル１、チャンネル２、チャンネル３、・・・、チャンネルｎ、開始時刻、終了時刻、起動曜日、表示方法」を対応付けて記憶する。なお、ｎは自然数である。
【００２０】
チャンネルセット名は、チャンネルセットの名称であり、ユーザが任意に設定することもでき、サイネージ１０が自動的に設定することもできる。「チャンネル１からｎ」は、Ｗｅｂコンテンツとして表示されるＷｅｂコンテンツを特定する情報であり、ユーザが任意に設定することができる。「開始時刻」は、Ｗｅｂコンテンツの取得および表示を開始する時刻であり、「終了時刻」は、Ｗｅｂコンテンツの取得および表示を終了する時刻であり、いずれもユーザが任意に設定することができる。「起動曜日」は、チャンネルセットに含まれるＷｅｂコンテンツの自動取得を実行する曜日であり、ユーザが任意に設定することができる。「表示方法」は、複数のＷｅｂコンテンツの表示手法であり、スライドショー、１つに固定、手動切替などユーザが任意に設定することができる。
【００２１】
図４の１行目は、月曜日から金曜日の毎日７：００から９：００までの間に実行されるチャンネルセット（朝）の設定情報である。チャンネルセット（朝）には、写真、スケジュール、天気をスライドショーで表示することが設定されている。
【００２２】
外部サーバＤＢ１５は、外部サーバに関する情報を記憶するデータベースである。図５は、外部サーバＤＢ１５に記憶される情報の例を示す図である。図５に示すように、外部サーバＤＢ１５は、「サーバ名、ＵＲＬ（Uniform  Resource  Locator）、提供サービス」などを対応付けて記憶する。「サーバ名」は、外部サーバの名称であり、「ＵＲＬ」は、外部サーバが提供するウェブサイトのアドレスであり、「提供サービス」は、外部サーバが提供するサービス名である。図５の場合、「天気サーバ」は、「各地域の天気予報の提供」を行うサービスを実行し、ＵＲＬが「ＵＲＬ（Ａ）」であることを示す。
【００２３】
制御部２０は、サイネージ１０全体を司る処理部であり、設定部２１、取得部２２、表示制御部２３を有する。設定部２１は、チャンネルセットの設定を受け付ける処理部である。具体的には、設定部２１は、ユーザからの設定要求を受け付けると、設定画面を表示部１２に表示させて、設定画面上でチャンネルセットの情報を受け付ける。そして、設定部２１は、受け付けた各種情報をチャンネルセットＤＢ１４に格納する。
【００２４】
ここで、チャンネルセットの設定例を説明する。図６は、チャンネルセットの設定例を説明する図である。図６に示すように、設定部２１は、ユーザから設定要求を受け付けると、図６の（ａ）に示す設定画面を表示する。図６の（ａ）の設定画面は、アカウントや家族情報、チャンネルセット等、システム全般の各情報を設定または編集する画面である。
【００２５】
そして、設定部２１は、図６の（ａ）に示す設定画面上で「チャンネルセット」が選択されると（ステップＳ１）、図６の（ｂ）に示すチャンネルセット一覧画面を表示する（ステップＳ２）。ここで表示されるチャンネルセット一覧画面には、デフォルトで設定されているチャンネルセットや既に設定されているチャンネルセットの名称が表示される。なお、ここでは、チャンネルセット（朝）、チャンネルセット（昼）、チャンネルセット（夜）の３つが設定されている。
【００２６】
続いて、設定部２１は、図６の（ｂ）に示すチャンネルセット一覧画面上で、「チャンネルセット（朝）」の「編集」が選択されると（ステップＳ３）、図６の（ｃ）に示すチャンネルセット編集画面を表示する（ステップＳ４）。設定部２１は、チャンネルセット編集画面上で、チャンネルセット名の編集、グループ化するチャンネルの追加や並び替えなどを、ユーザから受け付ける。ここでは、家族の各メンバの嗜好に合致するコンテンツをそれぞれ選択することができる。
【００２７】
一方、設定部２１は、図６の（ａ）に示す設定画面上で「自動起動／終了」が選択されると（ステップＳ５）、図６の（ｄ）に示す自動起動／終了設定画面を表示する（ステップＳ６）。設定部２１は、自動起動／終了設定画面上で、開始時刻、終了時刻、起動対象の曜日などを、ユーザから受け付ける。
【００２８】
なお、図６の（ａ）に示す設定画面上の「日付・時刻」は、「自動起動／終了」のような周期的な起動ではなく、起動させる日付や時刻を設定する項目である。また、設定画面上の「スライドショー」は、Ｗｅｂコンテンツをスライドショーで表示させるか否か、スライドショーの切替時間などを設定する項目である。また、設定画面上の「音声操作」は、音声によるＷｅｂコンテンツの切替などを有効にするか否かを設定する項目である。
【００２９】
取得部２２は、Ｗｅｂコンテンツを該当外部サーバから取得する処理部である。具体的には、取得部２２は、チャンネルセットＤＢ１４を監視し、起動時刻に到達したチャンネルセットを検出した場合、当該チャンネルセットに登録されている各チャンネルを特定する。そして、取得部２２は、各チャンネルに登録されている外部サーバにアクセスして該当Ｗｅｂコンテンツを取得して、表示制御部２３に出力する。その後、取得部２２は、終了時刻に到達すると、Ｗｅｂコンテンツの取得を終了する。
【００３０】
図４の例で説明すると、取得部２２は、月曜日から金曜日において毎日７：００になると、チャンネルセット（朝）の開始時刻であることから、チャンネル１（写真）、チャンネル２（スケジュール）、チャンネル３（天気）を特定する。続いて、取得部２２は、「写真」に対応するＷｅｂコンテンツとして、サイネージ１０内の記憶領域から家族写真などの該当写真を取得して表示制御部２３に出力する、もしくは、クラウドサーバ２から家族写真を読み出して表示制御部２３に出力する。同様に、取得部２２は、「スケジュール」に対応するＷｅｂコンテンツとして、サイネージ１０やクラウドサーバ２に登録される今日のスケジュールを表示制御部２３に出力する。同様に、取得部２２は、「天気」に対応するＷｅｂコンテンツとして、天気サーバ１から今日の天気予報を取得して表示制御部２３に出力する。なお、取得部２２は、開始時刻から終了時刻までの間、該当Ｗｅｂコンテンツが更新されることに対応するために、定期的にＷｅｂコンテンツを取得して表示制御部２３に出力する。
【００３１】
表示制御部２３は、取得部２２によって取得された各Ｗｅｂコンテンツを、表示部１２に順次表示させる処理部である。上記例で説明すると、表示制御部２３は、７：００になると、チャンネルセット（朝）の開始時刻であることから、チャンネルセットＤＢ１４のチャンネルセット（朝）の表示手法「スライドショー」を特定する。その後、表示制御部２３は、取得部２２から、Ｗｅｂコンテンツ「写真」、Ｗｅｂコンテンツ「スケジュール」、Ｗｅｂコンテンツ「天気」の入力を受け付ける。そして、表示制御部２３は、Ｗｅｂコンテンツ「写真」、Ｗｅｂコンテンツ「カレンダー」、Ｗｅｂコンテンツ「天気」を順にスライドショーで表示する。なお、スライドショーの切替時間は、図６の（ａ）で設定される時間である。
【００３２】
［具体例］
次に、スライドショーの具体例を説明する。図７は、画面表示例を説明する図である。ここでは、チャンネルセット（朝）として、「チャンネル１（写真）、チャンネル２（スケジュール）、チャンネル３（天気）、開始時刻（７：００）、終了時刻（９：００）」が登録されており、チャンネルセット（昼）として、「チャンネル１（カレンダー）、チャンネル２（ニュース）、チャンネル３（天気）、開始時刻（１２：００）、終了時刻（１５：００）」が登録されているとする。なお、他の項目は省略する。
【００３３】
このような状態において、取得部２２は、朝７：００になると、チャンネルセット（朝）の開始を検出し、チャンネルセット（朝）の各チャンネル「写真、スケジュール、天気」に該当する各Ｗｅｂコンテンツを取得して表示制御部２３に出力する。具体的には、取得部２２は、今日から１年前の家族旅行の写真をサイネージ１０内またはクラウドサーバ２から取得して、Ｗｅｂコンテンツ（写真）として表示制御部２３に出力する。また、取得部２２は、今日のスケジュールをサイネージ１０内またはクラウドサーバ２から取得して、Ｗｅｂコンテンツ（スケジュール）として表示制御部２３に出力する。また、取得部２２は、予め指定された地点の天気予報（今日、明日、週間天気）を天気サーバ１から取得して、Ｗｅｂコンテンツ（天気）として表示制御部２３に出力する。なお、取得部２２は、終了時刻の９：００になるまで、今日から１年前の家族旅行の異なる写真などを取得して表示制御部２３に出力する。
【００３４】
その後、表示制御部２３は、各ＷｅｂコンテンツをタブにしたＷｅｂページを表示部１２に表示する。具体的には、図７に示すように、表示制御部２３は、７：００から９：００の間、写真、スケジュール、天気のそれぞれのＷｅｂコンテンツをタブに設定したＷｅｂページを生成し、Ｗｅｂコンテンツをスライドショーで表示する。
【００３５】
具体的には、表示制御部２３は、はじめにＷｅｂコンテンツ（写真）を表示する。そして、表示制御部２３は、Ｗｅｂコンテンツ（写真）を表示してから２分後にタブを切り替えて、Ｗｅｂコンテンツ（スケジュール）を表示する。その後、表示制御部２３は、Ｗｅｂコンテンツ（スケジュール）を表示してから２分後にタブを切り替えて、Ｗｅｂコンテンツ（天気）を表示する。さらに、表示制御部２３は、Ｗｅｂコンテンツ（天気）を表示してから２分後にタブを切り替えて、Ｗｅｂコンテンツ（写真）を表示する。このように、表示制御部２３は、７：００から９：００の間、写真、スケジュール、天気のそれぞれの各Ｗｅｂコンテンツをスライドショーで表示し、９：００になると、Ｗｅｂコンテンツの表示を終了する。
【００３６】
その後、取得部２２は、昼１２：００になると、チャンネルセット（昼）の開始を検出し、チャンネルセット（昼）の各チャンネル「カレンダー、ニュース、天気」に該当する各Ｗｅｂコンテンツを取得して表示制御部２３に出力する。具体的には、取得部２２は、当日を含むカレンダーをサイネージ１０内またはクラウドサーバ２から取得して、Ｗｅｂコンテンツ（カレンダー）として表示制御部２３に出力する。また、取得部２２は、現地点までに発表されたニュースをニュースサーバ３から取得して、Ｗｅｂコンテンツ（ニュース）として表示制御部２３に出力する。また、取得部２２は、予め指定された地点の天気予報（今日、明日、週間天気）を天気サーバ１から取得して、Ｗｅｂコンテンツ（天気）として表示制御部２３に出力する。なお、取得部２２は、終了時刻の１５：００になるまで、ニュースなどを適宜更新して表示制御部２３に出力する。
【００３７】
その後、表示制御部２３は、各ＷｅｂコンテンツをタブにしたＷｅｂページを表示部１２に表示する。具体的には、図７に示すように、表示制御部２３は、１２：００から１５：００の間、カレンダー、ニュース、天気のそれぞれのＷｅｂコンテンツをタブに設定したＷｅｂページを生成し、Ｗｅｂコンテンツをスライドショーで表示する。
【００３８】
具体的には、表示制御部２３は、はじめにＷｅｂコンテンツ（カレンダー）を表示する。そして、表示制御部２３は、Ｗｅｂコンテンツ（カレンダー）を表示してから２分後にタブを切り替えて、Ｗｅｂコンテンツ（ニュース）を表示する。その後、表示制御部２３は、Ｗｅｂコンテンツ（ニュース）を表示してから２分後にタブを切り替えて、Ｗｅｂコンテンツ（天気）を表示する。このとき、表示制御部２３は、明日の天気予報を表示する。さらに、表示制御部２３は、Ｗｅｂコンテンツ（天気）を表示してから２分後にタブを切り替えて、Ｗｅｂコンテンツ（カレンダー）を表示する。このように、表示制御部２３は、１２：００から１５：００の間、カレンダー、ニュース、天気のそれぞれの各Ｗｅｂコンテンツをスライドショーで表示し、１５：００になると、Ｗｅｂコンテンツの表示を終了する。なお、同じＷｅｂコンテンツであっても時間帯によって内容を変更することができる。例えば、チャンネルセット（昼）は、チャンネルセット（朝）に比べて時間が遅いことから、天気予報は今日ではなく明日の天気が表示される。
【００３９】
このように、サイネージ１０は、各チャンネルセットの時間帯以外は、Ｗｅｂページの表示を停止したり、他の用途に使用したりするが、各チャンネルセットの時間帯になると、予め指定したＷｅｂコンテンツを自動で表示する。
【００４０】
［処理の流れ］
図８は、処理の流れを示すフローチャートである。ここでは、一例として、チャンネルセットの設定からＷｅｂコンテンツの自動表示までの一連の流れを説明する。
【００４１】
図８に示すように、設定部２１は、チャンネル設定を開始すると（Ｓ１０１：Ｙｅｓ）、ユーザの入力を受け付けてチャンネル設定を行う（Ｓ１０２）。そして、設定部２１は、チャンネル設定が終了すると（Ｓ１０３：Ｙｅｓ）、自動表示を開始するか否かの設定を受け付ける（Ｓ１０４）。
【００４２】
その後、自動表示が開始されると（Ｓ１０４：Ｙｅｓ）、取得部２２は、チャンネルセットＤＢ１４を参照し、開始時刻に到達するチャンネルセットがあるか否かを監視する（Ｓ１０５）。
【００４３】
その後、取得部２２は、開始時刻になったチャンネルセットを検出すると（Ｓ１０５：Ｙｅｓ）、チャンネルセットおよび各チャンネルを、チャンネルセットＤＢ１４から特定する（Ｓ１０６）。ここで、取得部２２は、チャンネルセットの各チャンネルに対応するＷｅｂコンテンツを取得する（Ｓ１０７）。
【００４４】
そして、表示制御部２３は、各Ｗｅｂコンテンツをタブに設定したＷｅｂページを生成し（Ｓ１０８）、最初のチャンネルのタブをアクティブにしたＷｅｂページを表示する（Ｓ１０９）。
【００４５】
その後、表示制御部２３は、チャンネルセットの終了時刻ではなく（Ｓ１１０：Ｎｏ）、切替時間でもない場合（Ｓ１１１：Ｎｏ）、最初のチャンネルのＷｅｂコンテンツを表示し続ける。一方、表示制御部２３は、チャンネルセットの終了時刻ではなく（Ｓ１１０：Ｎｏ）、切替時間になった場合（Ｓ１１１：Ｙｅｓ）、次のチャンネルに対応する各ＷｅｂコンテンツのタブをアクティブにしたＷｅｂページを表示して（Ｓ１１２）、Ｓ１１０以降を繰り返す。
【００４６】
一方で、表示制御部２３は、チャンネルセットの終了時刻になると（Ｓ１１０：Ｙｅｓ）、Ｗｅｂコンテンツの表示を停止する（Ｓ１１３）。
【００４７】
［効果］
上述したように、サイネージ１０は、特定の時間になると、複数のＷｅｂコンテンツを自動で取得して、スライドショーで表示することができる。したがって、サイネージ１０は、複数人のメンバがいる場合でも、各人の嗜好に合致したＷｅｂコンテンツを順次表示させることができる。このように、サイネージ１０は、各メンバに対応したＷｅｂコンテンツを提供することができる。
【実施例２】
【００４８】
さて、これまで本発明の実施例について説明したが、本発明は上述した実施例以外にも、種々の異なる形態にて実施されてよいものである。
【００４９】
［チャンネルセット］
上記実施例では、チャンネルセット（朝）、チャンネルセット（昼）などを例にして説明したが、チャンネルセットの生成はこれに限定されるものではなく、任意に設定することができる。例えば、家族それぞれについて、チャンネルセット（父）、チャンネルセット（母）、チャンネルセット（子供）のように設定することもできる。また、起動時間や起動する時間帯、チャンネルセットの数、スライドショーの切替え時間なども任意に設定することができる。また、各Ｗｅｂコンテンツを、タブではなく、一つのＷｅｂページとして表示することもできる。さらに、タブは、スライドショーの切替え時間に関わらず、手動で切替えることもできる。
【００５０】
［学習］
また、上記サイネージ１０は、チャンネルセットへの登録コンテンツや切り替え時間などを学習して自動で設定変更することもできる。例えば、サイネージ１０は、新たなチャンネルセットを生成するときに、今までのチャンネルとして天気が多く登録されている場合には、天気をデフォルト設定とすることもできる。
【００５１】
また、サイネージ１０は、Ｗｅｂコンテンツの切り替え時間もＷｅｂコンテンツごとに設定することができる。例えば、サイネージ１０は、天気のＷｅｂコンテンツからニュースのＷｅｂコンテンツに切替えるときに、スライドショーの切り替え時間を待たずに、手動で切替えられた回数が所定数以上であると検出する。この場合、サイネージ１０は、天気のＷｅｂコンテンツからニュースのＷｅｂコンテンツの切り替え時間だけを設定値（例えば２分）から１分に変更することもできる。
【００５２】
［ハードウェア］
図９は、ハードウェア構成例を説明する図である。図９に示すように、サイネージ１０は、通信インタフェース１０ａ、表示装置１０ｂ、ＨＤＤ（Hard  Disk  Drive）１０ｃ、メモリ１０ｄ、プロセッサ１０ｅを有する。また、図９に示した各部は、バス等で相互に接続される。
【００５３】
通信インタフェース１０ａは、ネットワークインタフェースカードなどであり、他のサーバとの通信を行う。表示装置１０ｂは、例えばタッチパネルやディスプレイなど、各種情報を表示する表示装置である。ＨＤＤ１０ｃは、図３に示した機能を動作させるプログラムやＤＢを記憶する。
【００５４】
プロセッサ１０ｅは、図３に示した各処理部と同様の処理を実行するプログラムをＨＤＤ１０ｃ等から読み出してメモリ１０ｄに展開することで、図３等で説明した各機能を実行するプロセスを動作させる。すなわち、このプロセスは、サイネージ１０が有する各処理部と同様の機能を実行する。具体的には、プロセッサ１０ｅは、設定部２１、取得部２２、表示制御部２３等と同様の機能を有するプログラムをＨＤＤ１０ｃ等から読み出す。そして、プロセッサ１０ｅは、設定部２１、取得部２２、表示制御部２３等と同様の処理を実行するプロセスを実行する。
【００５５】
このようにサイネージ１０は、プログラムを読み出して実行することで情報処理方法を実行する情報処理装置として動作する。また、サイネージ１０は、媒体読取装置によって記録媒体から上記プログラムを読み出し、読み出された上記プログラムを実行することで上記した実施例と同様の機能を実現することもできる。なお、この他の実施例でいうプログラムは、サイネージ１０によって実行されることに限定されるものではない。例えば、他のコンピュータまたはサーバがプログラムを実行する場合や、これらが協働してプログラムを実行するような場合にも、本発明を同様に適用することができる。
【００５６】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００５７】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００５８】
１  天気サーバ
２  クラウドサーバ
３  ニュースサーバ
１０  サイネージ
１１  通信部
１２  表示部
１３  記憶部
１４  チャンネルセットＤＢ
１５  外部サーバＤＢ
２０  制御部
２１  設定部
２２  取得部
２３  表示制御部
５０  家庭内ＬＡＮ
【図１】
2018028825.tif 000003
【図２】
2018028825.tif 000004
【図３】
2018028825.tif 000005
【図４】
2018028825.tif 000006
【図５】
2018028825.tif 000007
【図６】
2018028825.tif 000008
【図７】
2018028825.tif 000009
【図８】
2018028825.tif 000010
【図９】
2018028825.tif 000011